(57)【要約】【課題】本発明によれば、適切なタイミングで発光部の状態を制御できる携帯電子機器を提供することができる。【解決手段】携帯電話機１は、筐体と、筐体に配置されるレンズ部２３ａと、レンズ部２３ａにより結像された画像を画像データとして連続的に取得するＣＭＯＳセンサ２０１と、ＣＭＯＳセンサ２０１により取得された画像データのうち、所定の画像データに基づいた静止画像を撮像画像とすることを指示する撮像指示部３００と、筐体におけるレンズ部２３ａと同じ側に配置されるライト部２４と、ＣＭＯＳセンサ２０１により取得された画像データに基づいて、撮像環境の明るさを示す第１輝度値を取得し、取得された第１輝度値に応じてライト部２４の発光状態を制御するＣＰＵ４５と、を備える。【選択図】図４
2012138687.tif 000002
【特許請求の範囲】
【請求項１】
筐体と、
前記筐体に配置されるレンズ部と、
前記レンズ部により結像された画像を画像データとして連続的に取得する撮像部と、
前記撮像部により取得された画像データのうち、所定の画像データに基づいた静止画像を撮像画像とすることを指示する撮像指示部と、
前記筐体における前記レンズ部と同じ側に配置される発光部と、
前記撮像部により取得された画像データに基づいて、撮像環境の明るさを示す第１輝度値を取得し、
当該取得された前記第１輝度値に応じて前記発光部の発光状態を制御する制御部と、を備える
携帯電子機器。
【請求項２】
前記制御部は、
前記第１輝度値が所定の第１閾値未満である場合、前記発光部を発光した状態とする
請求項１に記載の携帯電子機器。
【請求項３】
前記画像データに基づいた静止画像に所定の被写体が含まれるか否かを判定する被写体判定部と、を備え、
前記制御部は、
前記被写体判定部により、前記第１輝度値が取得された静止画像に所定の被写体が含まれていないと判定された場合、前記第１輝度値に基づく前記発光部の制御を行わないと共に、前記発光部が発光した状態に状態変更することを規制する
請求項１又は２に記載の携帯電子機器。
【請求項４】
所定距離以上離間した被写体を撮像するための第１撮像モードに状態変更可能に構成され、
前記制御部は、
撮像モードが前記第１撮像モードである場合、前記第１輝度値に基づく前記発光部の制御を行わないと共に、前記発光部が発光した状態に状態変更することを規制する
請求項１から３のいずれかに記載の携帯電子機器。
【請求項５】
前記制御部は、
前記第１輝度値が第１閾値以上である場合、前記発光部を消光状態とする
請求項１から４のいずれかに記載の携帯電子機器。
【請求項６】
前記制御部は、
前記第１輝度値に基づいて前記発光部を発光した状態に状態変化させた場合、前記発光部を発光した状態に状態変化させた後に前記第１輝度値が第１閾値以上であっても、前記発光部を発光した状態のまま維持する
請求項１から５のいずれかに記載の携帯電子機器。
【請求項７】
前記制御部は、
前記第１輝度値に基づいて前記発光部を発光した状態に状態変化させてから所定時間以上経過した場合、
前記発光部を消光状態に状態変更させ、
前記発光部が消光状態であるときに前記第１輝度値が前記所定の条件を満たす場合、前記発光部を状態変更又は状態維持させる
請求項１から６のいずれかに記載の携帯電子機器。
【請求項８】
前記画像データに基づいた表示を行なう表示部と、を備え、
前記制御部は、
前記発光部が発光した状態から消光状態に状態変更された場合、
消光状態において前記撮像部により取得された画像データに基づいた画像に代えて、消光状態に変更される直前に前記撮像部により取得された画像データに基づいた画像を選択して前記表示部に表示させる
請求項７に記載の携帯電子機器。
【請求項９】
前記画像データに基づいた静止画像を表示する表示部と、を備え、
前記制御部は、
前記発光部が発光した状態から消光状態に状態変更された場合、
消光状態に変更される直前に前記撮像部により取得された画像データに基づいた静止画像と、消光状態に状態変更されてから前記撮像部により取得された画像データに基づく静止画像とを補間処理して補間画像を生成すると共に、
消光状態において前記撮像部により取得された画像データに基づいた静止画像に代えて、前記補間画像を前記表示部に表示させる
請求項７に記載の携帯電子機器。
【請求項１０】
前記画像データに基づいた静止画像を表示する表示部と、を備え、
前記制御部は、
前記発光部が発光した状態から消光状態に状態変更された場合、
消光状態に変更される直前に前記撮像部により取得された画像データに基づいた複数の静止画像に基づいて予測静止画像を生成すると共に、
消光状態において前記撮像部により取得された画像データに基づいた静止画像に代えて、前記予測静止画像を前記表示部に表示させる
請求項７に記載の携帯電子機器。
【請求項１１】
前記筐体における前記レンズ部が配置された側と反対側に配置される輝度センサと、を備え、
前記制御部は、
前記輝度センサにより取得された情報に基づいて、第２輝度値を取得すると共に、前記制御部により取得された前記第１輝度値に加えて、前記第２輝度値に基づいて、前記発光部を制御する
請求項１から１０のいずれかに記載の携帯電子機器。
【請求項１２】
前記制御部は、前記第１輝度値に基づいて前記発光部を発光した状態に状態変化させた場合、前記発光部が発光した状態にある間は前記第１輝度値に基づく前記発光部の制御を行わないと共に、
前記第２輝度値が第２閾値未満である場合、前記発光部を発光した状態で状態維持させ、
前記第２輝度値が前記第２閾値以上である場合、前記発光部を消光状態に状態変更させる
請求項１１に記載の携帯電子機器。
【請求項１３】
所定距離未満だけ離間した被写体を撮像するための第２撮像モードに状態変更可能に構成され、
前記制御部は、前記第１輝度値に基づいて前記発光部を発光した状態に状態変化させた場合、
前記発光部が発光した状態にある間は、前記第１輝度値に基づく前記発光部の制御を行わないと共に、
撮像モードが前記第２撮像モードである場合には、更に前記第２輝度値に基づく前記発光部の制御も行わず、前記発光部を発光した状態で状態維持させる
請求項１１又は１２に記載の携帯電子機器。
【請求項１４】
前記筐体における移動情報を出力するセンサと、を備え、
前記制御部は、
前記第１輝度値に基づく前記発光部の制御を停止した状態において、前記センサにより出力された移動情報により前記筐体における所定の移動を検知した場合、前記第１輝度値に基づく前記発光部の制御を開始する
請求項１から１３のいずれかに記載の携帯電子機器。
【請求項１５】
前記撮像指示部は、
所定の静止画像を撮像画像とすることを指示できない指示不可能状態と、
所定の静止画像を撮像画像とすることを指示できる指示可能状態と、
所定の静止画像を撮像画像とすることを指示する指示状態と、
に状態変化可能に構成され、
前記制御部は、
前記撮像指示部が前記指示可能状態である場合に前記第１輝度値を取得する
請求項１から１４のいずれかに記載の携帯電子機器。
【発明の詳細な説明】
【技術分野】
【０００１】
本発明は、撮像部を有する携帯電子機器に関する。
【背景技術】
【０００２】
近年、携帯電子機器としての携帯電話機は、多機能化が進んでいる。
例えば、レンズや撮像部を有するカメラ部を備える携帯電話機が存在する。
ここで、周囲が暗い場合でも撮像ができるよう、被写体を照らす発光部を有する携帯電話機が提案されている（例えば、特許文献１参照）。
【先行技術文献】
【特許文献】
【０００３】
【特許文献１】特開２００４−１６５９４３号公報
【発明の概要】
【発明が解決しようとする課題】
【０００４】
しかし、特許文献１に記載された携帯電話機において、発光部（モバイルライト）の発光は、ユーザーの操作により切り替えられる。
つまり、周囲や被写体の明るさに応じて自動的に発光した状態が切り替わるものではなかった。
これに対し、周囲や被写体の明るさを検知して明るさに応じた発光状態の制御を実施するために専用のセンサを取り付けることもできるが、部品の増加や、製造コストの上昇という問題が生じる。
【０００５】
本発明は、適切なタイミングで発光部の発光状態を制御できる携帯電子機器を提供することを目的とする。
【課題を解決するための手段】
【０００６】
本発明は、筐体と、前記筐体に配置されるレンズ部と、前記レンズ部により結像された画像を画像データとして連続的に取得する撮像部と、前記撮像部により取得された画像データのうち、所定の画像データに基づいた静止画像を撮像画像とすることを指示する撮像指示部と、前記筐体における前記レンズ部と同じ側に配置される発光部と、前記撮像部により取得された画像データに基づいて、撮像環境の明るさを示す第１輝度値を取得し、当該取得された前記第１輝度値に応じて前記発光部の発光状態を制御する制御部と、を備える携帯電子機器に関する。
【０００７】
また、前記制御部は、前記第１輝度値が所定の第１閾値未満である場合、前記発光部を発光した状態とすることが好ましい。
【０００８】
また、前記画像データに基づいた静止画像に所定の被写体が含まれるか否かを判定する被写体判定部と、を備え、前記制御部は、前記被写体判定部により、前記第１輝度値が取得された静止画像に所定の被写体が含まれていないと判定された場合、前記第１輝度値に基づく前記発光部の制御を行わないと共に、前記発光部が発光した状態に状態変更することを規制することが好ましい。
【０００９】
また、所定距離以上離間した被写体を撮像するための第１撮像モードに状態変更可能に構成され、前記制御部は、撮像モードが前記第１撮像モードである場合、前記第１輝度値に基づく前記発光部の制御を行わないと共に、前記発光部が発光した状態に状態変更することを規制することが好ましい。
【００１０】
また、前記制御部は、前記第１輝度値が第１閾値以上である場合、前記発光部を消光状態とすることが好ましい。
【００１１】
また、前記制御部は、前記第１輝度値に基づいて前記発光部を発光した状態に状態変化させた場合、前記発光部を発光した状態に状態変化させた後に前記第１輝度値が第１閾値以上であっても、前記発光部を発光した状態のまま維持することが好ましい。
【００１２】
また、前記制御部は、前記第１輝度値に基づいて前記発光部を発光した状態に状態変化させてから所定時間以上経過した場合、前記発光部を消光状態に状態変更させ、前記発光部が消光状態であるときに前記第１輝度値が前記所定の条件を満たす場合、前記発光部を状態変更又は状態維持させることが好ましい。
【００１３】
また、前記画像データに基づいた表示を行なう表示部と、を備え、前記制御部は、前記発光部が発光した状態から消光状態に状態変更された場合、消光状態において前記撮像部により取得された画像データに基づいた画像に代えて、消光状態に変更される直前に前記撮像部により取得された画像データに基づいた画像を選択して前記表示部に表示させることが好ましい。
【００１４】
また、前記画像データに基づいた静止画像を表示する表示部と、を備え、前記制御部は、前記発光部が発光した状態から消光状態に状態変更された場合、消光状態に変更される直前に前記撮像部により取得された画像データに基づいた静止画像と、消光状態に状態変更されてから前記撮像部により取得された画像データに基づく静止画像とを補間処理して補間画像を生成すると共に、消光状態において前記撮像部により取得された画像データに基づいた静止画像に代えて、前記補間画像を前記表示部に表示させることが好ましい。
【００１５】
また、前記画像データに基づいた静止画像を表示する表示部と、を備え、
前記制御部は、前記発光部が発光した状態から消光状態に状態変更された場合、消光状態に変更される直前に前記撮像部により取得された画像データに基づいた複数の静止画像に基づいて予測静止画像を生成すると共に、消光状態において前記撮像部により取得された画像データに基づいた静止画像に代えて、前記予測静止画像を前記表示部に表示させることが好ましい。
【００１６】
また、前記筐体における前記レンズ部が配置された側と反対側に配置される輝度センサと、を備え、前記制御部は、前記輝度センサにより取得された情報に基づいて、第２輝度値を取得すると共に、前記制御部により取得された前記第１輝度値に加えて、前記第２輝度値に基づいて、前記発光部を制御することが好ましい。
【００１７】
また、前記制御部は、前記第１輝度値に基づいて前記発光部を発光した状態に状態変化させた場合、前記発光部が発光した状態にある間は前記第１輝度値に基づく前記発光部の制御を行わないと共に、前記第２輝度値が第２閾値未満である場合、前記発光部を発光した状態で状態維持させ、前記第２輝度値が前記第２閾値以上である場合、前記発光部を消光状態に状態変更させることが好ましい。
【００１８】
また、所定距離未満だけ離間した被写体を撮像するための第２撮像モードに状態変更可能に構成され、前記制御部は、前記第１輝度値に基づいて前記発光部を発光した状態に状態変化させた場合、前記発光部が発光した状態にある間は、前記第１輝度値に基づく前記発光部の制御を行わないと共に、撮像モードが前記第２撮像モードである場合には、更に前記第２輝度値に基づく前記発光部の制御も行わず、前記発光部を発光した状態で状態維持させることが好ましい。
【００１９】
また、前記筐体における移動情報を出力するセンサと、を備え、前記制御部は、前記第１輝度値に基づく前記発光部の制御を停止した状態において、前記センサにより出力された移動情報により前記筐体における所定の移動を検知した場合、前記第１輝度値に基づく前記発光部の制御を開始することが好ましい。
【００２０】
また、前記撮像指示部は、所定の静止画像を撮像画像とすることを指示できない指示不可能状態（指を離している状態）と、所定の静止画像を撮像画像とすることを指示できる指示可能状態（半押し状態）と、所定の静止画像を撮像画像とすることを指示する指示状態（全押し状態）と、に状態変化可能に構成され、前記制御部は、前記撮像指示部が前記指示可能状態である場合に前記第１輝度値を取得することが好ましい。
【発明の効果】
【００２１】
本発明によれば、適切なタイミングで発光部の発光状態を制御できる携帯電子機器を提供することができる。
【図面の簡単な説明】
【００２２】
【図１】携帯電話機１を開いた状態における正面斜視図である。
【図２】携帯電話機１を開いた状態における裏面図である。
【図３】携帯電話機１の回路ブロック図である。
【図４】携帯電話機１における撮像画像を処理する機能における機能ブロック図である。
【図５】携帯電話機１におけるライト部２４の発光制御における一例を説明するフロー図である。
【図６】携帯電話機１におけるライト部２４の発光制御における他の例を説明するフロー図である。
【図７】携帯電話機１におけるライト部２４の発光制御における他の例を説明するフロー図である。
【図８】携帯電話機１におけるライト部２４の発光制御における他の例を説明するフロー図である。
【図９】携帯電話機１におけるライト部２４の発光制御における他の例を説明するフロー図である。
【発明を実施するための形態】
【００２３】
以下、図面を参照して本発明を実施するための形態を説明する。
図１から図４により、携帯電子機器としての携帯電話機１について説明する。図１は、携帯電話機１を開いた状態における正面斜視図である。図２は、携帯電話機１を開いた状態における裏面図である。図３は、携帯電話機１の回路ブロック図である。図４は、携帯電話機１における撮像画像を処理する機能における機能ブロック図である。
【００２４】
図１及び図２に示すように、携帯電話機１は、筐体としての操作部側筐体２及び表示部側筐体３を備える。操作部側筐体２と表示部側筐体３とは、ヒンジ機構を備える連結部４を介して開閉可能に連結される。具体的には、操作部側筐体２の上端部と表示部側筐体３の下端部とは、連結部４を介して連結される。これにより、携帯電話機１は、ヒンジ機構を介して連結された操作部側筐体２と表示部側筐体３とを相対的に動かすことが可能である。つまり、携帯電話機１は、操作部側筐体２と表示部側筐体３とが開いた状態（開状態）と、操作部側筐体２と表示部側筐体３とが折り畳まれた状態（閉状態）とにすることができる。ここで、閉状態とは、両筐体が互いに重なるように配置された状態であり、開状態とは、両筐体が互いに重ならないように配置された状態をいう。
【００２５】
操作部側筐体２は、外面がフロントケース２ａとリアケース２ｂとにより構成される。操作部側筐体２には、フロントケース２ａ側に、操作キー群１１と、携帯電話機１の使用者が通話時に発した音声が入力されるマイク１２とがそれぞれ露出するように構成される。また、図２に示すように、操作部側筐体２には、リアケース２ｂ側に、カメラ部２３と、発光部としてのライト部２４とが露出して配置される。
【００２６】
操作キー群１１は、各種設定や電話帳機能やメール機能等の各種機能を作動させるための機能設定操作キー１３と、電話番号の数字やメール等の文字等を入力するための入力操作キー１４と、各種操作における決定や上下左右方向のスクロール等を行う操作部材としての決定操作キー１５とを含んで構成される。決定操作キー１５は、環状キー１５ａと、円状キー１５ｂとにより構成される。操作キー群１１を構成する各キーそれぞれには、携帯電話機１における開閉状態、各種モードや起動されているアプリケーションの種類等に応じて所定の機能が割り当てられる（キー・アサイン）。そして、使用者が各キーを押圧することにより、各キーに割り当てられている機能に応じた動作が実行される。
具体的には、携帯電話機１がカメラモードである場合、決定操作キー１５を押圧することで撮像倍率等の調整や撮像指示がなされるよう機能が割り当てられる。環状キー１５ａが押圧されることで撮像倍率の調整がなされ、円状キー１５ｂが半押し状態となるよう押圧されることで後述するＣＰＵ４５（輝度値取得部２２０）に対して第１輝度値の取得開始等が指示される。また、円状キー１５ｂが全押状態となるよう押圧されることでＣＰＵ４５（静止画像生成部２１０）により生成された静止画像のうち、所定の静止画像を撮像画像とすることがＣＰＵ４５に指示される。
【００２７】
マイク１２は、操作部側筐体２の長手方向における連結部４側と反対の外端部側に配置される。つまり、マイク１２は、携帯電話機１が開状態において一方の外端部側に配置される。
【００２８】
カメラ部２３は、操作部側筐体２の外面側に配置されるレンズ部２３ａと、操作部側筐体２の内部に配置される撮像部としてのＣＭＯＳセンサ２０１とを有する。
レンズ部２３ａは、被写体の画像を所定位置に結像する。ＣＭＯＳセンサ２０１は、レンズ部２３ａにより結像された被写体の画像を画像データとして連続的に取得する。
【００２９】
ライト部２４は、操作部側筐体２におけるレンズ部２３ａと同じ側（同じ面）に配置される。ライト部２４は、発光した状態又は消光状態のいずれのかの状態に状態変更可能に構成される。本実施形態において、発光した状態は、ライト部２４が連続的に光を発光する状態である。また、本実施形態において、消光状態は、ライト部２４が発光していない状態である。
ここで、ライト部２４は、後述するＣＰＵ４５（発光制御部２３０）により、発光した状態が制御される。
【００３０】
操作部側筐体２における一方側の側面には、外部機器（例えば、ホスト装置）と通信を行うためのインターフェース（図示せず）が配置される。操作部側筐体２の他方側の側面には、所定の機能が割り当てられているサイドキー１６と、外部メモリの挿入及び取り出しが行われるインターフェース（図示せず）とが配置される。インターフェースは、キャップ１７により覆われている。
【００３１】
表示部側筐体３は、外面がフロントケース３ａとリアケース３ｂとにより構成される。表示部側筐体３におけるフロントケース３ａには、プレビュー画像（静止画像）や撮像画像等を含む各種情報を表示するためのＬＣＤ表示部２１と、通話の相手側の音声を出力するレシーバとしてのスピーカ２２と、輝度センサ２６とが露出して配置される。
【００３２】
ＬＣＤ表示部２１は、液晶パネルと、液晶パネルを駆動する駆動回路と、液晶パネルの背面側から光を照射するバックライト等の光源部とを含んで構成される。
【００３３】
ＬＣＤ表示部２１は、撮像時における被写体の画像を連続的に表示可能に構成される。ＬＣＤ２１は、ＣＭＯＳセンサ２０１から水平方向ごとに垂直方向に順次読み出された電荷信号に基づいて、水平方向ごとに垂直方向に順次描画処理するＬＣＤである。撮影者は、ＬＣＤ表示部２１に表示される被写体の画像を見ながら決定操作キー１５における環状キー１５ａで画像倍率等を調整し、所望の画像倍率等の撮像条件で円状キー１５ｂを押圧（全押状態）することで被写体を撮像する。
【００３４】
輝度センサ２６は、表示部側筐体３におけるＬＣＤ表示部２１側に配置される。輝度センサ２６は、携帯電話機１が開状態において、レンズ部２３ａが配置された側と反対側に配置される。
【００３５】
次に、図３により、携帯電話機１の回路構成について説明する。
図３に示すように、操作部側筐体２に配置されるカメラ部２３と、ライト部２４と、操作部１０１と、マイク１２と、メインアンテナ４０と、ＲＦ回路部４１と、ＬＣＤ制御部４２と、音声処理部４３と、メモリ４４と、制御部としてのＣＰＵ４５と、電源部４６と、制御ＩＣ４７と、表示部側筐体３に配置されるＬＣＤ表示部２１と、スピーカ２２と、ドライバＩＣ２５とを備える。
【００３６】
メインアンテナ４０は、所定の使用周波数帯（例えば、８００ＭＨｚ）で外部装置と通信を行う。また、メインアンテナ４０は、所定の使用周波数帯の他に、他の使用周波数帯（例えば、２ＧＨｚ）に対応できるいわゆるデュアルバンド対応型による構成であってもよい。
【００３７】
ＲＦ回路部４１は、メインアンテナ４０によって受信した信号を復調処理し、処理後の信号をＣＰＵ４５に供給すると共に、ＣＰＵ４５から供給された信号を変調処理し、メインアンテナ４０を介して外部装置（基地局）に送信するよう構成される。
【００３８】
ＣＰＵ４５は、携帯電話機１の全体を制御する。ＣＰＵ４５は、特に、ＲＦ回路部４１、ＬＣＤ制御部４２、音声処理部４３、カメラ部２３及びライト部２４に対して所定の制御を行う。ＣＰＵ４５は、後述する通り、機能部としての静止画像生成部２１０と、輝度値取得部２２０と、発光制御部２３０と、被写体判定部２４０と、モード検知部２５０と、輝度検知部２６０と、移動検知部２７０と、表示画像調整部２８０とを含む。詳細は、後述の通りである。
【００３９】
カメラ部２３は、レンズ部２３ａと、撮像部としてのＣＭＯＳセンサ２０１とを有する。レンズ部２３ａは、近接した被写体を撮像するための第１焦点位置に配置された状態（マクロモード）と、遠景を撮影するための第２焦点位置に配置された状態（遠景モード、通常モード）とに移動可能に構成される。ここで、本実施形態における携帯電話機１は、近接した被写体を撮像するためのマクロモードにおいて、レンズ部２３ａの位置は固定される。
【００４０】
ＣＭＯＳセンサ２０１は、レンズ部２３ａにより結像された被写体の画像を画像データとして取得する。ＣＭＯＳセンサ２０１は、取得した画像データを後述する信号処理回路２０３を介して、ＣＰＵ４５に出力させる。画像データは、ＣＰＵ４５（静止画像生成部２１０）により、静止画像を生成するために利用される。また、画像データは、（静止画像生成部２１０）により生成された静止画像を介して、ＣＰＵ４５（輝度値取得部２２０）により第１輝度値を取得するために利用される。
【００４１】
ライト部２４は、連続して発光する発光した状態と、発光しない消光状態とに状態変化可能に構成される。ライト部２４は、ＣＰＵ４５（発光制御部２３０）により発光した状態が制御される。
【００４２】
加速度センサ５０は、携帯電話機１における移動速度及び移動方向の変化を検知するためのセンサである。加速度センサ５０により取得された移動情報は、ＣＰＵ４５（移動検知部２７０）に出力される。移動情報は、ＣＰＵ４５（移動検知部２７０）により、携帯電話機１の移動を検知するために利用される。
【００４３】
ＬＣＤ制御部４２は、ＣＰＵ４５の制御にしたがって、入力された画像データに対して所定の画像処理を行うと共に、画像処理された画像データをドライバＩＣ２５に出力する。ドライバＩＣ２５は、ＬＣＤ制御部４２から入力された画像データをフレームメモリに蓄えると共に、該フレームメモリに蓄えられた画像データを所定のタイミングでＬＣＤ表示部２１に出力する。ＬＣＤ表示部２１は、ドライバＩＣ２５から入力された画像データに基づいて、所定の画像を表示する。
ここで、ＬＣＤ制御部４２は、ＣＰＵ４５の制御にしたがって、カメラ部２３（ＣＭＯＳセンサ２０１）により連続的に取得された画像データをドライバＩＣ２５に出力することができる。これにより、ＬＣＤ表示部２１には、カメラ部２３を介して被写体の画像が連続的に表示される。
また、ＬＣＤ制御部４２は、画像データに基づいて静止画像生成部２１０により生成された静止画像の静止画像データをドライバＩＣ２５に出力することができる。これにより、ＬＣＤ表示部２１には、被写体の静止画像が表示される。
【００４４】
メモリ４４は、所定のデータが格納されている。具体的には、メモリ４４には、各種機能プログラムや通信時に利用されるアドレス情報等のほか、ＣＭＯＳセンサ２０１により取得された画像データに基づく撮像画像が記憶される。ここで、メモリ４４に記憶された撮像画像の画像データが上述のようにＬＣＤ表示部２１に出力されることで、ＬＣＤ表示部２１には既にカメラ部２３を介して取得され保存されていた撮像画像が表示される。
【００４５】
音声処理部４３は、ＣＰＵ４５の制御にしたがって、ＲＦ回路部４１から供給された信号に対して所定の音声処理を行うと共に、音声処理された信号をスピーカ２２に出力する。スピーカ２２は、音声処理部４３から供給された信号に基づいて外部に放音（出力）する。また、音声処理部４３は、ＣＰＵ４５の制御にしたがって、マイク１２から入力された信号に対して所定の処理をすると共に、処理された信号をＲＦ回路部４１に出力する。ＲＦ回路部４１は、音声処理部４３から入力された信号に所定の処理を行うと共に、処理がされた信号をメインアンテナ４０に出力する。
【００４６】
電源部４６は、バッテリ８０を有して構成される。バッテリ８０は、所定容量を有するリチウムイオン電池である。制御ＩＣ４７は、電源部４６から供給される電源電圧を所定の電源電圧に変換し、変換後の電源電圧を携帯電話機１における各部（例えば、ＣＰＵ４５等）に供給する。
【００４７】
輝度センサ２６は、携帯電話機１が開状態において、レンズ部２３ａ側と反対側の輝度値を取得する。輝度センサ２６は、取得した輝度情報をＣＰＵ４５（輝度検知部２６０）に出力する。輝度情報は、ＣＰＵ４５（輝度検知部２６０）が第２輝度値を算出するために利用される。
【００４８】
図４により、携帯電話機１における機能部等について説明する。
図４に示すように、携帯電話機１は、カメラ部２３に含まれるレンズ部２３ａ、ＣＭＯＳセンサ２０１及び信号処理回路２０３と、ＣＰＵ４５に含まれる静止画像生成部２１０、輝度値取得部２２０、発光制御部２３０、被写体判定部２４０、モード検知部２５０、輝度検知部２６０、移動検知部２７０及び表示画像調整部２８０と、メモリ４４と、ライト部２４と、加速度センサ５０と、輝度センサ２６と、円状キー１５ｂと、撮像指示部３００と、ＬＣＤ制御部４２と、ドライバＩＣ２５と、ＬＣＤ表示部２１と、を備える。
【００４９】
レンズ部２３ａは、撮像モード設定部（不図示）により設定された撮像モードに対応した焦点位置に各レンズが位置するようレンズ制御部（不図示）により制御される。
レンズ部２３ａは、上述の通り、第１焦点位置と第２焦点位置とに移動可能に構成される。レンズ部２３ａは、近接する被写体を撮像するマクロモードにおいては第１焦点位置に固定される。
【００５０】
ＣＭＯＳセンサ２０１は、第１方向としての水平ライン方向と、第２方向としての垂直ライン方向とを有する平面上に配列された複数の画素を有する撮像デバイスである。複数の画素それぞれは、不図示のフォトダイオードと、増幅器と、選択スイッチとを含んで構成される。また、ＣＭＯＳセンサ２０１は、電荷信号を読み出すだめの水平転送回路と、垂直転送回路とを有する。
【００５１】
複数の画素は、レンズ部２３ａを介して撮像された画像に対応して電荷信号を出力する。電荷信号は、水平転送回路及び垂直転送回路により、水平ラインに配列された画素ごとに読み出されると共に、垂直ラインにおいて順次読み出される。
【００５２】
ＣＭＯセンサ２０１から読み出された電荷信号は、不図示のＣＤＳ（Ｃｏｒｒｅｌａｔｅｄ  Ｄｏｕｂｌｅ  Ｓａｍｐｌｉｎｇ）部と、ゲイン部と、Ａ／Ｄ変換部により所定の処理がなされた後、信号処理回路２０３に入力される。
【００５３】
信号処理回路２０３は、入力された処理後信号から色信号や輝度信号を生成すると共に、画像信号としてのデジタルビデオ信号を生成する。信号処理回路２０３により生成された輝度信号は、輝度値取得部２２０にも利用される。
【００５４】
ＣＰＵ４５は、静止画像生成部２１０と、輝度値取得部２２０と、発光制御部２３０と、被写体判定部２４０と、モード検知部２５０と、輝度検知部２６０と、移動検知部２７０と、表示画像調整部２８０とを含む。
【００５５】
静止画像生成部２１０は、ＣＭＯＳセンサ２０１（撮像部）により連続的に取得された画像データに基づいて、所定間隔で静止画像を生成する。静止画像生成部２１０は、例えば、カメラ機能が起動された場合、上記画像データに基づく静止画像の生成を開始するよう構成されてもよい。また、例えば、静止画像生成部２１０は、後述する撮像指示部３００が後述する指示可能状態になった場合、上記画像データに基づく静止画像の生成を開始するよう構成されてもよい。
【００５６】
静止画像生成部２１０により生成された静止画像は、プレビュー画像としてＬＣＤ制御部４２に表示される。また、静止画像生成部２１０により生成された静止画像は、後述する撮像指示部３００からの指示に基づいて、撮像画像としてメモリ４４に記憶される。
また、静止画像生成部２１０により生成された静止画像は、後述する輝度値取得部２２０による第１輝度値の取得に利用される。
【００５７】
輝度値取得部２２０は、ＣＭＯＳセンサ２０１により取得された画像データに基づいて、撮像環境の明るさを示す第１輝度値を連続的に取得する。具体的には、輝度値取得部２２０は、静止画像生成部２１０により生成された複数の静止画像それぞれにおける画像データに基づいて、撮像環境の明るさを示す第１輝度値を連続的に取得する。
【００５８】
輝度値取得部２２０は、例えば、静止画像における予め定められた複数の位置における輝度値を平均することで、第１輝度値を取得する。
輝度値取得部２２０は、信号処理回路２０３により生成された輝度信号等から第１輝度値を取得する。
【００５９】
本実施形態において、輝度値取得部２２０は、後述する撮像指示部３００が指示可能状態である場合に第１輝度値を取得する。輝度値取得部２２０は、撮像指示部３００が指示可能状態である場合に静止画像生成部２１０により生成された静止画像の（静止）画像データに基づいて、第１輝度値を取得する。
【００６０】
発光制御部２３０は、上記連続して取得された第１輝度値が所定数連続して所定条件を満たす場合、ライト部２４（発光部）の状態を切り替える。
具体的には、発光制御部２３０は、静止画像生成部２１０により連続して生成された静止画像に基づく第１輝度値が所定数連続して所定条件を満たす場合、ライト部２４の発光した状態を切り替える。発光制御部２３０は、連続的に発光する発光した状態と、発光しない消光状態とに状態変更又は状態維持させる。ここで、所定数は適宜設定できる（例えば、３）。所定数を「３」と設定した場合、所定条件を満たす第１輝度値が３回連続して取得された場合、ライト部２４の発光した状態が状態変更等される。
【００６１】
発光制御部２３０は、第１輝度値が所定数連続して所定の第１閾値未満である場合、ライト部２４を発光した状態とする。
具体的には、発光制御部２３０は、静止画像生成部２１０により連続して生成された静止画像に基づく第１輝度値が所定数連続して第１閾値未満である場合、ライト部２４を発光した状態に状態変更又は発光した状態である場合には状態維持させる。
発光制御部２３０は、撮像環境の明るさが所定未満の場合にライト部２４を発光した状態にする。
ここで、第１閾値は、ＣＭＯＳセンサ２０１の性能等に応じて、適宜設定できる。
【００６２】
また、発光制御部２３０は、後述する被写体判定部２４０により、第１輝度値が取得された静止画像に所定の被写体が含まれていないと判定された場合、第１輝度値に基づくライト部２４の制御を行わないと共に、ライト部２４が発光した状態に状態変更することを規制する。発光制御部２３０は、撮像環境の明るさが所定未満の場合でも、所定の被写体が撮像されていない場合には、ライト部２４を発光した状態にさせない。
【００６３】
また、発光制御部２３０は、撮像モードが遠景モード（第１撮像モード）である場合、第１輝度値に基づくライト部２４の制御を行わないと共に、ライト部２４が発光した状態に状態変更することを規制する。撮像モードは、後述するモード検知部２５０により検知される。
【００６４】
発光制御部２３０は、第１輝度値が所定数連続して第１閾値以上である場合、ライト部２４を消光状態とする。
具体的には、発光制御部２３０は、静止画像生成部２１０により連続して生成された静止画像に基づく第１輝度値が所定数連続して第１閾値以上である場合、ライト部２４を消光状態に状態変更又は状態維持させる。
発光制御部２３０は、撮像環境の明るさが所定以上の場合にライト部２４を消光状態にする。
【００６５】
発光制御部２３０は、第１輝度値に基づいてライト部２４を発光した状態に状態変化させた場合、ライト部２４を発光した状態に状態変化させた後に第１輝度値が所定数連続して第１閾値以上であっても、ライト部２４を発光した状態のまま維持する。
具体的には、発光制御部２３０は、第１輝度値に基づいてライト部２４を発光した状態に状態変化させた場合、ライト部２４を発光した状態に状態変化させた後に静止画像生成部２１０により更に連続して生成された静止画像に基づく第１輝度値が所定数だけ連続して第１閾値以上であっても、ライト部２４を発光した状態のまま維持する。
発光制御部２３０は、ライト部２４が発光した状態であって撮像環境が所定以上明るい場合に、ライト部２４からの光に起因する撮像環境の変化（明るくなる）によりライト部２４を消光状態に切り替えないように構成される。ライト部２４が発光した状態と消光状態とに連続して交互に切り替えられる（点滅発光する）ことを抑制する。
【００６６】
発光制御部２３０は、第１輝度値に基づいてライト部２４を発光した状態に状態変化させた場合、ライト部２４を発光した状態に状態変化させた後に第１輝度値が所定数連続して第１閾値以上であると判定すると、ライト部２４を消光状態に状態変更させると共に、所定時間後に発光した状態に状態変更させ、ライト部２４が消光状態であるときに第１輝度値が所定数連続して前記所定の条件を満たす場合、ライト部２４を状態変更又は状態維持させる。
具体的には、発光制御部２３０は、第１輝度値に基づいてライト部２４を発光した状態に状態変化させた場合、ライト部２４を発光した状態に状態変化させた後に静止画像生成部２１０により更に連続して生成された静止画像に基づく第１輝度値が所定数だけ連続して第１閾値以上であると判定すると、ライト部２４を消光状態に状態変更させ、ライト部２４が消光状態であるときにＣＭＯＳセンサ２０１により取得された画像データに基づいて静止画像生成部２１０により連続して生成された静止画像に基づく前記第１輝度値が所定数だけ連続して所定の条件を満たす場合、ライト部２４を状態変更又は状態維持させる。
つまり、発光制御部２３０は、ライト部２４が発光した状態の場合、撮像環境における正しい第１輝度値を測定するため、ライト部２４を所定時間だけ消光状態に状態変更させる。ライト部２４が消光状態のときに、輝度値取得部２２０は、第１輝度値を取得する。そして、発光制御部２３０は、ライト部２４が消光状態において取得された第１輝度値に基づいて、ライト部２４を状態変更又は状態維持させる。
【００６７】
発光制御部２３０は、輝度値取得部２２０により取得された第１輝度値から得られる第１輝度値に加えて、輝度検知部２６０により取得された第２輝度値から得られる第２輝度値に基づいて、ライト部２４を制御する。
発光制御部２３０は、レンズ部２３ａを介してＣＭＯＳセンサ２０１により取得された画像データから取得される第１輝度値だけでなく、レンズ部２３ａと反対側に配置された輝度センサ２６からの情報に基づいて取得される第２輝度値とにも基づいて、ライト部２４を状態変更等させる。
【００６８】
発光制御部２３０は、第１輝度値に基づいてライト部２４を発光した状態に状態変化させた場合、ライト部２４が発光した状態にある間は第１輝度値に基づくライト部２４の制御を行わないよう構成される。そして、発光制御部２３０は、第２輝度値が第２閾値未満である場合、ライト部２４を発光した状態で状態維持させ、第２輝度値が第２閾値以上である場合、ライト部２４を消光状態に状態変更させる。
発光制御部２３０は、ライト部２４が発光した状態に変更された場合、第２輝度値に基づいてライト部２４の状態を制御するよう構成されてもよい。
発光制御部２３０は、第１輝度値が取得されるタイミングでレンズ部２３ａが指等で覆われた場合であっても、輝度センサ２６により取得された情報に基づく第２輝度値を利用して、ライト部２４の状態を適正に制御する。
【００６９】
発光制御部２３０は、第１輝度値に基づいてライト部２４を発光した状態に状態変化させた場合、ライト部２４が発光した状態にある間は、第１輝度値に基づくライト部２４の制御を行わない。そして、発光制御部２３０は、撮像モードがマクロモード（第２撮像モード）である場合には、更に第２輝度値に基づくライト部の制御も行わず、ライト部２４を発光した状態で状態維持させる。
撮像モードがマクロモードである場合、携帯電話機１自体が被写体に近接されるが、この場合に携帯電話機１自体の影で被写体が暗くなる場合がある。発光制御部２３０は、このような場合であっても被写体の明るさを所定以上にするため、ライト部２４を発光した状態で維持させる。
【００７０】
発光制御部２３０は、第１輝度値に基づくライト部２４の制御を停止した状態において、加速度センサ５０（センサ）により出力された移動情報により筐体における所定の移動を検知した場合、第１輝度値に基づくライト部２４の制御を開始する。
発光制御部２３０は、例えば、第１輝度値が一定数以上連続した場合、第１輝度値に基づくライト部２４の制御を停止するよう構成できる。そして、携帯電話機１は、第１輝度値に基づくライト部２４の制御が停止された状態において、別の被写体を撮像するため携帯電話機１が大きく移動された場合、第１輝度値に基づくライト部２４の制御を再開する。
【００７１】
被写体判定部２４０は、画像データに基づいた静止画像に所定の被写体が含まれるか否かを判定する。
具体的には、被写体判定部２４０は、画像データから静止画像生成部２１０により生成された静止画像に基づいて、当該静止画像に所定の被写体が含まれるか否かを判定する。
所定の画像は、例えば、人体（顔や体の全部又は一部）等である。
被写体判定部２４０は、所定の画像認識ソフトや顔認識ソフト等を利用するものであってもよい。
【００７２】
モード検知部２５０は、携帯電話機１における撮像モードを検知する。
本実施形態における携帯電話機１は、所定距離以上離間した被写体を撮像するための遠景モード（第１撮像モード）と、所定距離未満離間した被写体を撮像するためのマクロモード（第２撮像モード）とに状態変更可能に構成される。
モード検知部２５０は、例えば、モード設定部（不図示）からの設定情報や、レンズ部２３ａを構成するレンズの位置情報や、画像データを解析した画像解析情報等により、撮像モードを検知する。
【００７３】
輝度検知部２６０は、輝度センサ２６により取得された情報に基づいて、第２輝度値を取得する。
【００７４】
移動検知部２７０は、携帯電話機１の移動を検知する。移動検知部２７０は、加速度センサ５０からの情報に基づいて、携帯電話機１における所定の移動を検知する。
所定の移動としては、例えば、所定距離以上の移動や、携帯電話機１のレンズ部２３ａの向きを変えるような移動を例示できる。
【００７５】
表示画像調整部２８０は、ライト部２４が発光した状態から消光状態に状態変更された場合、消光状態においてＣＭＯＳセンサ２０１により取得された画像データに基づいた静止画像に代えて、消光状態に変更される直前にＣＭＯＳセンサ２０１により取得された画像データに基づいた静止画像を選択してＬＣＤ表示部２１に表示させる。
具体的には、表示画像調整部２８０は、ライト部２４が発光した状態から消光状態に状態変更された場合、消光状態においてＣＭＯＳセンサ２０１により取得された画像データに基づいて静止画像生成部２１０により生成された静止画像に代えて、消光状態に変更される直前にＣＭＯＳセンサ２０１により取得された画像データに基づいて静止画像生成部２１０により生成された静止画像を選択してＬＣＤ表示部２１に表示させる。
【００７６】
また、表示画像調整部２８０は、ライト部２４が発光した状態から消光状態に状態変更された場合、消光状態に変更される直前にＣＭＯＳセンサ２０１により取得された画像データに基づいた静止画像と、消光状態に状態変更されてからＣＭＯＳセンサ２０１により取得された画像データに基づいた静止画像とを補間処理して補間画像を生成すると共に、消光状態においてＣＭＯＳセンサ２０１により取得された画像データに基づいた静止画像に代えて、補間画像をＬＣＤ表示部２１に表示させる。
具体的には、表示画像調整部２８０は、ライト部２４が発光した状態から消光状態に状態変更された場合、消光状態に変更される直前にＣＭＯＳセンサ２０１により取得された画像データに基づいて静止画像生成部２１０により生成された静止画像と、消光状態に状態変更されてからＣＭＯＳセンサ２０１により取得された画像データに基づいて生成された静止画像とを補間処理して補間画像を生成すると共に、消光状態においてＣＭＯＳセンサ２０１により取得された画像データに基づいて静止画像生成部２１０により生成された静止画像に代えて、補間画像をＬＣＤ表示部２１に表示させる。
【００７７】
また、表示画像調整部２８０は、ライト部２４が発光した状態から消光状態に状態変更された場合、消光状態に変更される直前にＣＭＯＳセンサ２０１により取得された画像データに基づいた複数の静止画像に基づいて予測静止画像を生成すると共に、消光状態においてＣＭＯＳセンサ２０１により取得された画像データに基づいた静止画像に代えて、予測静止画像を前ＬＣＤ表示部２１に表示させる。
具体的には、表示画像調整部２８０は、ライト部２４が発光した状態から消光状態に状態変更された場合、消光状態に変更される直前にＣＭＯＳセンサ２０１により取得された画像データに基づいて静止画像生成部２１０により生成された複数の静止画像に基づいて予測静止画像を生成すると共に、消光状態においてＣＭＯＳセンサ２０１により取得された画像データに基づいて静止画像生成部２１０により生成された静止画像に代えて、予測静止画像をＬＣＤ表示部２１に表示させる。
【００７８】
メモリ４４は、各種情報や各種機能を動作させるためのプログラムを記憶する。また、メモリ４４は、第１閾値や第２閾値に関する閾値情報を記憶する。また、メモリ４４は、撮像画像を含む所定の画像に関する画像情報を記憶する。
【００７９】
加速度センサ５０は、携帯電話機１（筐体）における加速度情報（移動情報）を取得する。また、加速度センサ５０は、携帯電話機１（筐体）における移動情報を移動検知部２７０に出力する。
【００８０】
ライト部２４は、開状態の携帯電話機１（筐体）におけるレンズ部２３ａと同じ側に配置される。ライト部２４は、発光した状態又は消光状態のいずれかの状態となる。ライト部２４は、発光した状態と消光状態とに状態変更可能に構成される。ライト部２４は、上述の通り、発光制御部２３０により発光した状態が切り替えられる。
【００８１】
輝度センサ２６は、開状態の携帯電話機１（筐体）におけるレンズ部２３ａが配置された側と反対側に配置される。輝度センサ２６は、レンズ部２３ａと反対側における輝度情報を取得する。輝度センサ２６は、被写体と反対側における輝度情報を取得する。
輝度センサ２６としては、例えば、輝度センサ、照度センサ、他のカメラ部（インカメラ）等を用いることができる。
【００８２】
円状キー１５ｂは、カメラ機能が起動している状態において、撮像指示部３００に対するユーザーの操作を受け付ける操作受付部として機能する。
円状キー１５ｂは、ユーザーからの押下操作により、半押状態と、全押状態とに状態変化可能に構成される。円状キー１５ｂが半押状態の場合、撮像指示部３００は、後述する指示可能状態となる。また、円状キー１５ｂが全押状態の場合、撮像指示部３００は、後述する指示状態となる。
【００８３】
撮像指示部３００は、ＣＭＯＳセンサ２０１により取得された画像データのうち、所定の画像データに基づいた静止画像を撮像画像とすることを指示する。
撮像指示部３００は、静止画像生成部２１０により生成された静止画像のうち、所定の静止画像を撮像画像とすることを指示する。
【００８４】
撮像指示部３００は、所定の静止画像を撮像画像とすることを指示できない指示不可能状態と、所定の静止画像を撮像画像とすることを指示できる指示可能状態と、所定の静止画像を撮像画像とすることを指示する指示状態とに状態変化可能に構成される。
【００８５】
撮像指示部３００は、上述の円状キー１５ｂが押下されていない場合には指示不可能状態となり、円状キー１５ｂが半押状態の場合には指示可能状態となり、円状キー１５ｂが全押状態の場合には指示状態となる。
【００８６】
ここで、撮像指示部３００が指示可能状態の場合、例えば、輝度値取得部２２０は、静止画像から輝度情報を取得する。
また、撮像指示部３００が指示可能状態の場合、例えば、ＬＣＤ表示部２１は、静止画像（プレビュー画像）を表示させる。
【００８７】
ＬＣＤ表示部２１は、ＣＭＯＳセンサ２０１により取得された画像データに基づいた静止画像を表示可能に構成される。ＬＣＤ表示部２１は、静止画像生成部２１０により上記画像データに基づいて生成された静止画像を表示可能に構成される。ＬＣＤ表示部２１は、プレビュー画像としての静止画像や、撮像画像としての静止画像を表示可能に構成される。ＬＣＤ表示部２１は、上述の補間画像や、予測静止画像も表示可能に構成される。
ＬＣＤ制御部４２、ドライバＩＣ２５は、上述の通りである。
【００８８】
続けて、図５から図９により、携帯電話機１における動作について説明する。
図５は、携帯電話機１におけるライト部２４の発光制御における一例を説明するフロー図である。図６は、携帯電話機１におけるライト部２４の発光制御における他の例を説明するフロー図である。図７は、携帯電話機１におけるライト部２４の発光制御における他の例を説明するフロー図である。図８は、携帯電話機１におけるライト部２４の発光制御における他の例を説明するフロー図である。図９は、携帯電話機１におけるライト部２４の発光制御における他の例を説明するフロー図である。
【００８９】
まず、図５により、携帯電話機１におけるライト部２４の発光制御の一例を説明する。
最初に、図５に示すように、ステップＳＴ１０１において、ユーザーが所定の操作を行うことで、カメラ機能が起動される。
次いで、ステップＳＴ１０２において、カメラ機能が起動されると、ＣＭＯＳセンサ２０１は、レンズ部２３ａを介して被写体の画像を画像データとして取得する。
続けて、ステップＳＴ１０３において、静止画像生成部２１０は、ＣＭＯＳセンサ２０１により取得された画像データに基づいて、静止画像を所定間隔で連続的に生成する。
【００９０】
続けて、ステップＳＴ１０４において、ユーザーが円状キー１５ｂを半押しすることで、撮像指示部３００は撮像可能状態となる。
これにより、ステップＳＴ１０５において、輝度値取得部２２０は、連続的に生成される静止画像から連続的又は間欠的に第１輝度値を取得する。
【００９１】
続けて、ステップＳＴ１０６において、発光制御部２３０は、輝度値取得部２２０により取得された第１輝度値が第１閾値未満であるかを判定する。
第１輝度値が第１閾値未満である場合（ステップＳＴ１０６、ＹＥＳ）、ステップＳＴ１０７において、発光制御部２３０は、第１閾値未満である第１輝度値の数（検出回数）をカウントすると共に、所定数連続したか（連続して第１輝度値が第１閾値未満であるか）を判定する。
【００９２】
カウント数が所定数未満である場合（所定数連続していない場合、ステップＳＴ１０７、ＮＯ）、発光制御部２３０は、続けて取得される第１輝度値が第１閾値未満であるかを続けて判定する。
カウント数が所定数となった（第１閾値未満である第１輝度値の数（検出回数）が所定数連続した）場合（ステップＳＴ１０７、ＹＥＳ）、ステップＳＴ１０８において、発光制御部２３０は、ライト部２４を発光した状態にする。
【００９３】
第１輝度値が第１閾値未満である場合（ステップＳＴ１０６、ＮＯ）、ステップＳＴ１０９において、発光制御部２３０は、第１閾値以上である第１輝度値の数（検出回数）をカウントすると共に、所定数連続したか（連続して第１輝度値が第１閾値以上であるか）を判定する。
【００９４】
カウント数が所定数未満である場合（所定数連続していない場合、ステップＳＴ１０９、ＮＯ）、発光制御部２３０は、続けて取得される第１輝度値が第１閾値以上であるかを続けて判定する。
【００９５】
カウント数が所定数となった（第１閾値以上である第１輝度値の数（検出回数）が所定数連続した）場合（ステップＳＴ１０９、ＹＥＳ）、ステップＳＴ１１０において、発光制御部２３０は、ライト部２４を消光状態にする。
【００９６】
続けて、ステップＳＴ１１１において、表示画像調整部２８０は、ＬＣＤ表示部２１にプレビュー画像（静止画像）を表示させる。
【００９７】
続けて、ステップＳＴ１１２において、ユーザーが円状キー１５ｂを更に押下して全押しすることで、撮像指示部３００は、撮像指示状態となり、ユーザーの押下操作に対応したタイミングで生成された静止画像を撮像画像とする。ここで、引き続き被写体の撮像を継続する場合、発光制御部２３０は、所定時間継続して発光した状態を維持するよう構成されてもよい。
ステップＳＴ１１３において、ユーザーが所定の操作をすることで、カメラ機能が終了する。
【００９８】
次いで、図６により、携帯電話機１におけるライト部２４の発光制御における他の例を説明する。具体的には、被写体判定部２４０を利用したライト部２４の発光制御について説明する。図６においては、図５のＡに対応する部分のみ表示し、表示されていないステップは、図５における説明の内容を援用する。また、図５における符号と同じ符号が付してあるステップは、図５における説明の内容を援用する。
【００９９】
図６に示すように、第１閾値未満である第１輝度値の数（検出回数）が所定数連続した場合（ステップＳＴ１０７、ＹＥＳ）、ステップＳＴ２０１において、被写体判定部２４０は、静止画像に被写体が含まれるか否かを判定する。
静止画像に被写体が含まれると判定された場合（ステップＳＴ２０１、ＹＥＳ）、発光制御部２３０は、ライト部２４を発光した状態にする。
静止画像に被写体が含まれないと判定された場合、発光制御部２３０は、第１閾値未満である第１輝度値の数（検出回数）が所定数連続しても、ライト部２４を消光状態にする。
【０１００】
次いで、図７により、携帯電話機１におけるライト部２４の発光制御における他の例を説明する。具体的には、モード検知部２５０を利用したライト部２４の発光制御について説明する。図７においては、図５のＡに対応する部分のみ表示し、表示されていないステップは、図５における説明の内容を援用する。また、図５における符号と同じ符号が付してあるステップは、図５における説明の内容を援用する。
【０１０１】
図７に示すように、第１閾値未満である第１輝度値の数（検出回数）が所定数連続した場合（ステップＳＴ１０７、ＹＥＳ）、ステップＳＴ３０１において、モード検知部２５０は、撮像モードがマクロモードであるか否かを判定する。
撮像モードがマクロモードであると判定された場合（ステップＳＴ３０１、ＹＥＳ）、発光制御部２３０は、ライト部２４を発光した状態にする。
撮像モードがマクロモードではない（遠景モードである）と判定された場合、発光制御部２３０は、第１閾値未満である第１輝度値の数（検出回数）が所定数連続しても、ライト部２４を消光状態にする。
【０１０２】
次いで、図８により、携帯電話機１におけるライト部２４の発光制御における他の例を説明する。具体的には、ライト部２４発光した状態において、撮像動作を行う場合におけるライト部２４の発光制御について説明する。図８においては、図５のＢに対応する部分のみ表示し、表示されていないステップは、図５における説明の内容を援用する。また、図５における符号と同じ符号が付してあるステップは、図５における説明の内容を援用する。
【０１０３】
図８に示すように、ライト部２４が発光した状態である場合に、所定時間（例えば一分間）経過すると（ステップＳＴ４０１）、ステップＳＴ４０２において、発光制御部２３０は、ライト部２４を発光した状態から消光状態に状態変更させる。
【０１０４】
ここで、ステップＳＴ４０３において、輝度値取得部２２０は、ライト部２４が消光状態において取得された画像データから連続的に生成される静止画像より連続的又は間欠的に第１輝度値を取得する。
【０１０５】
以降の処理において、ステップＳＴ４０４からステップＳＴ４１１は、図５におけるステップＳＴ１０６からステップＳＴ１１３に対応する。
ここで、ステップＳＴ４０９において、表示画像調整部２８０は、ライト部２４が消光状態に取得した画像データより、生成される静止画像が十分に明るくない可能性があるため、ライト部２４が消灯状態に切り替わる直前の静止画像や、補間処理された補間画像や、予測静止画像等を表示させることができる。
【０１０６】
次いで、図９により、携帯電話機１におけるライト部２４の発光制御における他の例を説明する。具体的には、輝度センサ２６からの情報を利用した場合におけるライト部２４の発光制御について説明する。図９においては、図５のＢに対応する部分のみ表示し、表示されていないステップは、図５における説明の内容を援用する。また、図５における符号と同じ符号が付してあるステップは、図５における説明の内容を援用する。
【０１０７】
図９に示すように、ライト部２４が発光した状態である場合、ステップ５０１において、輝度検知部２６０は、輝度センサ２６からの情報に基づいて、第２輝度値を取得する。
【０１０８】
続けて、ステップＳＴ５０２において、発光制御部２３０は、輝度検知部２６０により取得された第２輝度値が第２閾値未満であるかを判定する。
【０１０９】
第２輝度値が第２閾値未満である場合（ステップＳＴ５０２、ＹＥＳ）、ステップＳＴ５０３において、発光制御部２３０は、ライト部２４を発光した状態にする。
【０１１０】
第２輝度値が第２閾値以上である場合（ステップＳＴ５０２、ＮＯ）、ステップＳＴ５０４において、モード検知部２５０は、撮像モードがマクロモードであるか否かを判定する。
【０１１１】
撮像モードがマクロモードであると判定された場合（ステップＳＴ５０４、ＹＥＳ）、発光制御部２３０は、第２輝度値が第２閾値以上であるが、ライト部２４を発光した状態にする（ステップＳＴ５０３）。
【０１１２】
撮像モードがマクロモードではない（遠景モードである）と判定された場合、発光制御部２３０は、ライト部２４を消光状態にする（ステップＳＴ５０５）。
【０１１３】
以降の処理において、ステップＳＴ５０６からステップＳＴ５０８は、図５におけるステップＳＴ１１１からステップＳＴ１１３に対応する。
【０１１４】
本実施形態によれば、携帯電話機１は、ＣＭＯＳセンサ２０１により取得された画像データに基づいた静止画像から撮像環境の明るさを示す第１輝度値を取得すると共に、第１輝度値が所定数連続して第１閾値未満の場合にはライト部２４を発光した状態にし、第１輝度値が所定数連続して第１閾値以上である場合にはライト部２４を消光状態にする。
これにより、携帯電話機１は、適切なタイミングでライト部２４の状態を制御することができる。また、携帯電話機１は、撮像環境の明るさを検出するセンサを別途設けることなく、適切なタイミングでライト部２４を制御することができる。
【０１１５】
また、本実施形態によれば、携帯電話機１は、第１輝度値に基づいたライト部２４の発光制御を行うと共に、静止画像に被写体が含まれていない場合や、撮像モードが遠景モードである場合には、第１輝度値が所定数連続して第１閾値未満である場合であっても、ライト部２４を発光した状態に状態変化させないよう構成できる。
これにより、携帯電話機１は、より適切なタイミングでライト部２４の状態を制御できる。
【０１１６】
また、本実施形態によれば、携帯電話機１は、ライト部２４を発光した状態に切り替えた場合、所定時間だけそのままライト部２４の発光した状態を維持するよう構成できる。
これにより、携帯電話機１は、連続した次の撮像動作時において、ライト部２４からの光により撮像環境が明るくなったことに起因してライト部２４が消光状態になることを抑制できる。
【０１１７】
また、本実施形態によれば、携帯電話機１は、ライト部２４を発光した状態に切り替えた場合、連続する次の撮像動作時において、ライト部２４を発光した状態から所定時間だけ消光状態に切り替える（また、発光した状態に戻す）よう構成できる。
これにより、携帯電話機１は、連続した次の撮像動作時において、ライト部２４からの光により撮像環境が明るくなったことに起因してライト部２４が消光状態になり、更に、ライト部２４からの光が無くなったことで撮像環境が暗くなったことに起因してライト部２４が消光状態に切り替えられる、というライト部が点滅してしまうことを抑制できる。
【０１１８】
また、本実施形態によれば、携帯電話機１は、上記のようにライト部２４を発光した状態から消光状態に状態変化させた場合、ＬＣＤ表示部２１に表示させる静止画像を調整・選択するよう構成できる。
これにより、携帯電話機１は、ライト部２４が消光状態において取得された画像データに基づく静止画像が暗い等の理由で不鮮明な場合でも、ＬＣＤ表示部２１にユーザが違和感を感じないプレビュー画像を表示できる。
【０１１９】
また、本実施形態によれば、携帯電話機１は、筐体におけるレンズ部２３ａとは反対側に配置された輝度センサ２６を介して被写体側と反対側における撮像環境の明るさを検知することができると共に、第１輝度値に加えて、該第２輝度値に基づいてライト部２４の状態を制御するよう構成できる。また、この場合、携帯電話機１は、ライト部２４が発光した状態に状態変更された場合、第１輝度値に基づくライト部２４の制御を停止し、第２輝度値に基づくライト部２４の制御を実行するよう構成できる。
これにより、携帯電話機１は、より適切なタイミングでライト部２４の状態を制御できる。
【０１２０】
また、本実施形態によれば、携帯電話機１は、ライト部２４が発光した状態に状態変更された状態において、撮像モードがマクロモードである場合、ライト部２４を発光した状態のまま維持する。
携帯電話機１は、上述の通り、マクロモードにおいてライト部２４を発光した状態で維持するので、被写体が携帯電話機１の影により暗くなる場合における悪影響を抑制できる。
【０１２１】
また、本実施形態によれば、携帯電話機１は、第１輝度値に基づくライト部２４の制御を停止した状態において、所定の移動を検知した場合には、第１輝度値に基づくライト部２４の制御を再開するよう構成できる。
これにより、携帯電話機１は、被写体が変更された場合、自動的に適切なタイミングでライト部２４を発光等させることができる。
【０１２２】
以上、好適な実施形態について説明したが、本発明は上述した実施形態に限定されることなく種々の形態で実施することができる。例えば、本実施形態において、携帯電子機器として携帯電話機１について説明しているが、これに限定されず、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であってもよい。
【０１２３】
また、本実施形態においては、連結部４により折り畳み可能な携帯電話機１の説明をしているが、このような折り畳み式ではなく、操作部側筐体２と表示部側筐体３とを重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転（水平回転）式や、操作部側筐体２と表示部側筐体３とが一つの筐体に配置され連結部を有さない型式（ストレートタイプ）でもよい。
【符号の説明】
【０１２４】
１      携帯電話機
２      操作部側筐体
３      表示部側筐体
２３      カメラ部
２３ａ    レンズ部
２４      ライト部
４４      メモリ
４５      ＣＰＵ
５０      加速度センサ
２０１    ＣＭＯＳセンサ
３００    撮像指示部
２１０    静止画像生成部
２２０    輝度値取得部
２３０    発光制御部
【図１】
2012138687.tif 000003
【図２】
2012138687.tif 000004
【図３】
2012138687.tif 000005
【図４】
2012138687.tif 000006
【図５】
2012138687.tif 000007
【図６】
2012138687.tif 000008
【図７】
2012138687.tif 000009
【図８】
2012138687.tif 000010
【図９】
2012138687.tif 000011